(57)【要約】  折り畳みテーブル及び座席装置が一対のテーブルトップを備える。テーブルトップのそれぞれはテーブルトップフレームを有する。折り畳み枠組みがテーブルトップを支持し、テーブルトップの第１の位置と第２の位置との間での折り畳みを促進する。折り畳み枠組みは、テーブルトップとともに回転軸を形成する。折り畳み補助システムが、折り畳み中に力を相殺し、折り畳み枠組みに取り付けられ付勢力を提供する機械的支柱アセンブリを備える。キャップ要素が、テーブルトップフレームのオリフィスに挿入され回転軸と一直線上に並んで管状横断を受容する受容部を有する。キャップ要素は、低摩擦を提供し、テーブルトップフレームの対応するスロットにクリップ留めされるタブを有する。
2019506965.tif 000002
【特許請求の範囲】
【請求項１】
一対のテーブルトップであって、該テーブルトップのそれぞれはテーブルトップフレームを有する、一対のテーブルトップと、
前記脚部アセンブリに接続され、前記テーブルトップを支持し、第１の位置と第２の位置との間で前記テーブルトップを折り畳む、折り畳み枠組みであって、該折り畳み枠組みは前記テーブルトップのそれぞれに対して回転軸を形成する、折り畳み枠組みと、
折り畳みの間に力を相殺する折り畳み補助システムであって、該折り畳み補助システムは、
前記折り畳み枠組みに取り付けられ、付勢力を提供する機械的支柱アセンブリであって、該機械的支柱アセンブリは、伸縮式のハウジングと、前記外側ハウジング内に少なくとも１つのバネを有する、機械的支柱アセンブリにおいて、
前記機械的支柱アセンブリは、折り畳みテーブル及び座席アセンブリの折り畳み操作及び展開操作のさまざまな段階で折り畳み及び展開を促進し、妨げるように作用する力の少なくとも一部を相殺する付勢力を提供するように構成される、機械的支柱アセンブリを備える、折り畳み補助システムと、
を具備する折り畳みテーブル。
【請求項２】
前記テーブルトップフレームのオリフィスに挿入され、かつ、前記回転軸と一直線上に並ぶ、受容部を有するキャップをさらに具備する、請求項１に記載の折り畳みテーブル。
【請求項３】
前記キャップに挿入される管状横断部材を備える、請求項２に記載の折り畳みテーブル。
【請求項４】
折り畳み補助システムが、第１のキャップ及び第２のキャップを含む一対の前記キャップと、前記第１のキャップに挿入される前記管状部材の第１の端部と、前記第２のキャップに挿入される前記管状部材の第２の端部と、を備え、
前記管状部材は、前記キャップ内で回転する、
請求項３に記載の折り畳みテーブル。
【請求項５】
前記キャップのそれぞれは、保持タブを具備し、前記テーブルフレームは、スロットを具備し、前記保持タブは、前記スロットに挿入されて、前記テーブルフレームの穴の前記受容部によって前記キャップを保持する、請求項４に記載の折り畳みテーブル。
【請求項６】
前記キャップは保持タブを具備し、前記テーブルフレームはスロットを具備し、前記保持タブは前記スロットに挿入されて、前記テーブルトップフレームの穴の前記受容部によって前記キャップを保持する、請求項２又は３に記載の折り畳みテーブル。
【請求項７】
各キャップは、モノリシック要素を具備する、請求項１〜６のいずれか１項に記載の折り畳みテーブル。
【請求項８】
前記タブのそれぞれは、
ベース部分の面に取り付けられた第１の端部と、第２の延長端部とを有する第１の平面部分であって、該第１の平面部分は、前記ベース部分の面に実質的に直交して延びる、第１の平面部分と、
前記第１の平面部分の前記第２の延長端部に取り付けられた第２の平面部分であって、該第２の平面部分は、実質的に前記ベース部分に向かって延びる、第２の平面部分と、を具備する、請求項４又は５に記載の折り畳みテーブル。
【請求項９】
前記第１の平面部分及び前記第２の平面部分はその間に鋭角を形成する、請求項８に記載の折り畳みテーブル。
【請求項１０】
前記第２の平面部分は、前記第１の平面部分に弾力的に取り付けられる、請求項８又は９に記載の折り畳みテーブル。
【請求項１１】
前記折り畳み枠組みに取り付けられた座席をさらに具備する、請求項１〜１０のいずれか１項に記載の折り畳みテーブル。
【請求項１２】
前記機械的支柱アセンブリは、第１のバネと第２のバネとを備え、前記第１のバネは、前記第２のバネとは異なるバネ定数を有する、請求項１〜１１のいずれか１項に記載の折り畳みテーブル。
【請求項１３】
前記機械的支柱アセンブリは伸縮式部分を具備し、前記機械的支柱アセンブリの第１の端部が前記折り畳み枠組みに取り付けられ、前記機械的支柱アセンブリの第２の端部が前記テーブルトップフレームに取り付けられる、請求項１〜１２のいずれか１項に記載の折り畳みテーブル。
【請求項１４】
折り畳みテーブル及び座席装置を第１の位置と第２の位置との間で折り畳む方法であって、
前記折り畳みテーブル及び座席装置は、折り畳み枠組みと、前記枠組みに回転可能に取り付けられた複数の脚部アセンブリであって、各脚部アセンブリは、連動する回転軸に沿って延びる管状横断部材を中心に回転する、複数の脚部アセンブリと、を具備する方法において、
前記方法は、
折り畳みに抵抗するか促進する力を相殺するように構成されるバネを有する少なくとも１つの機械的支柱を提供するステップであって、前記少なくとも１つの機械的支柱のそれぞれは、前記脚部アセンブリの１つを前記枠組みに接続する前記枠組みに取り付けられる、ステップと、
回転軸と一直線上に並び、前記管状横断部材の端部を受容する略管状受容部分を有する前記テーブルトップフレームのオリフィスにスナップ嵌めされるキャップを提供するステップと、
前記折り畳みテーブル及び座席装置を前記第１の位置から前記第２の位置に、前記少なくとも１つの機械的支柱によって個別に設けられる折り畳み補助によって、移動させるステップと、を含む、方法。
【請求項１５】
前記キャップは、円筒状内側空洞を形成する受容部を含み、前記管状部材は、前記円筒状内側空洞内で回転する、請求項１４に記載の方法。
【発明の詳細な説明】
【技術分野】
【０００１】
この出願は、ＰＣＴ国際特許出願として２０１７年２月２７日に出願されており、２０１６年２月２９日に出願された米国仮特許出願第６２／３０１,３６６号に対して優先権を主張する。この米国仮特許出願の開示内容全体は参照により本明細書に組み込まれる。
【０００２】
本発明は、折り畳みテーブル及び座席装置に関し、さらに詳細には、軽量フレーム及び折り畳み補助システムを有する折り畳みテーブル及び座席構造に関する。
【背景技術】
【０００３】
ダイニングルーム、会議室、ダンスエリア、トレーニングルーム、教室などをはじめとして、多様な活動のためのさまざまな時間に利用される大規模な多目的ルームでは、柔軟な構成を有する家具を使用するのが望ましいことが多い。特に、折り畳みテーブルと座席構造は有用であることがわかっており、共用エリア、軽食堂をはじめとする用途のために学校で利用される。このような折り畳みテーブル及び座席システムは、格納のために折り畳まれたときの設置面積を小さくし、空間を多目的使用する場合の柔軟性を高める。折り畳みテーブルの例は、例えばＷｉｌｓｏｎの特許文献１（米国特許第２,７７１,９３７号）、Ｗｉｌｓｏｎの特許文献２（米国特許第３,０７５,８０９号）、Ｗｉｌｓｏｎの特許文献３（米国特許第３,０９９,４８０号）、Ｂｕｅの特許文献４（米国特許第６,２５４,１７８号）に示されており、この４件の米国特許は本発明の譲受人であるＳｉｃｏ，Ｉｎｃ.に譲渡されている。そのようなテーブルは優れた柔軟性を提供するが、さらに改善が可能である。
【０００４】
折り畳みテーブル及び座席システムは、対向するテーブル面のほか、ベンチ又はスツールを支持するための枠組みを必要とし、典型的にはキャスター上にある。折り畳みテーブル及び座席システムの重量は、そのようなシステムの折り畳み及び展開中に変化する可能性がありかつ折り畳み及び展開中に作業者が必要とする労力を増加させる可能性がある力を生成する。このため、そのようなシステムは、折り畳み及び展開処理を補助するために折り畳み補助システムを利用して、折り畳み及び展開を行う作業者の労力を少なくする必要がある。そのような折り畳み補助は、一般に、トーションバー及び／又は空気圧シリンダによって提供されてきた。トーションバーは、一般に、脚部のピボット軸に沿って挿入され、テーブルフレームに接続されてきた。トーションバーは、必要とされる労力を軽減するために重量及び重力の一部を打ち消すことがあるが、トーションバーは高価で、比較的重く、重量を上乗せすることになる。トーションバーは、トルクが確実に付加されるようにフレームに特別な取り付けが必要な場合がある。さらに、テーブルの折り畳み動作の範囲全体にわたってトルク量が変化し得るが、トーションバーには、通常、調整されない予め設定されたねじり量が含まれる。折り畳みテーブル及び座席システムはこのほか、ある程度の折り畳み補助を提供するガススプリングと呼ばれることも多い空気圧シリンダを利用する。しかし、ガススプリングは、全圧縮時の力に対する全伸張時の力の比である、限定された力比を有する。ガスボンベの典型的な力比は約１．５であり、折り畳み及び展開中に加えられる力を変化させる能力を制限し、折り畳み補助を提供してテーブルの力を打ち消し、折り畳み及び展開を制御する。さらに、そのようなガスボンベは、漏れが生じ、経年的に作用する力の一部を失う傾向がある。このため、そのようなボンベは、時間の経過に伴うガス漏れに起因した予期される力の損失を補うために、実際に必要とされるより大きな力を提供するように初期段階では構成されることが一般的である。
【０００５】
このため、新たな改良された折り畳みテーブル及び座席システムには、改良された折り畳み補助システムを備えることが必要であることがわかる。そのようなシステムは、折り畳みテーブル及び座席システムの寿命全体にわたって低下しない折り畳み補助を提供する必要がある。さらに、そのようなシステムは、軽量であり、折り畳み及び展開中にフレーム要素間での回転が容易である必要がある。折り畳み補助システムは、異なる折り畳み補助力が必要とされる折り畳み動作及び展開動作の範囲の一部の間に増大及び／又は低下する折り畳み補助を提供するように調整される必要がある。枠組みは組み立てが容易である必要があり、折り畳み枠組みの回転軸にはトーションバーを設置しないことが必要である。本発明は、折り畳みテーブル及び座席システム及びその折り畳みリンク機構に起因するこのような問題をはじめとする問題に対処する。
【先行技術文献】
【特許文献】
【０００６】
【特許文献１】米国特許第２，７７１，９３７号明細書
【特許文献２】米国特許第３，０７５，８０９号明細書
【特許文献３】米国特許第３，０９９，４８０号明細書
【特許文献４】米国特許第６，２５４，１７８号明細書
【発明の概要】
【０００７】
本発明は、テーブル及び座席装置に関し、特に、折り畳み補助のための機械的支柱と、フレーム回転軸に低摩擦回転支持を提供するキャップ要素とを用いる折り畳み枠組みを有するテーブル及び座席装置に関する。
【０００８】
折り畳みテーブル及び座席装置は、中央折り畳み平面周りに互いに向かって折り畳まれる一対のテーブルトップを含み、連動する座席を含むこともある。各テーブルトップには、連動するテーブルトップフレームがある。折り畳み枠組みは、テーブルトップを支持し、使用のための第１の位置と保管のための第２の位置との間でテーブルトップを折り畳むためのものである。折り畳み枠組みは、テーブルトップのそれぞれに少なくとも１つの回転軸を形成する。折り畳み補助システムは、折り畳み及び展開の際の装置の重さを力で相殺し、テーブル及び座席装置を折り畳み及び展開するために必要な労力を軽減する。折り畳み補助システムは、折り畳み枠組みに取り付けられておりかつ付勢力を提供する機械的支柱アセンブリを備える。さらに、フレームの回転軸でのトーションスプリングではなく、一対のキャップであって、それぞれが低摩擦受け部を有するキャップが、テーブルトップフレーム内のオリフィスに挿入され、回転軸と一直線上に並ぶ。キャップは、回転軸を中心として枢動する管状フレーム部材の端部を受容する。キャップは、それぞれがテーブルトップフレームの穴に挿入される受け入れ部分と、テーブルトップフレームの長穴にクリップ留めされる保持タブとを含むため、容易に組み立てられる。
【０００９】
折り畳み補助システムは、折り畳みテーブルの折り畳み及び展開に抵抗する力及び／又は折り畳み及び展開を加速する力を相殺し、作業者が必要とする作業を軽減するように調整される。折り畳み補助システムは、伸縮部分を有する機械的支柱アセンブリを備える。支柱アセンブリの第１の端部が、折り畳み枠組みに取り付けられ、機械的支柱アセンブリの第２の端部が、テーブルトップフレームに取り付けられる。機械的支柱のバネ率は、折り畳み及び展開中に遭遇する重量をはじめとする力を実質的に相殺するように、テーブル及び座席装置の動作範囲に沿って変化するように設計されてもよい。機械的支柱は、比較的高い力比、約４を有する。ガススプリングよりも高いこの力比は、力が折り畳み及び展開中にさらに変化し得るように、機械的支柱がさらに良好に調節されて折り畳み補助を最適化することを可能にする。機械的支柱アセンブリは、第１のバネと第２のバネを、第１のバネが第２のバネとは異なるバネ定数を有する状態で備えてもよい。
【００１０】
本発明を特徴づける新規性をはじめとするさまざまな利点のこのような特徴は、添付の特許請求の範囲に詳細に指摘され、本明細書の一部を形成する。しかし、本発明、その利点、及びその使用によって得られる目的をさらに良く理解するためには、本明細書の別の部分を形成する図面、及び本発明の好ましい実施形態が示され説明される添付の記載を参照すべきである。
【図面の簡単な説明】
【００１１】
下記の図面を参照する。図面では類似する参照番号及び文字は、いくつかの図を通して類似する構造を示す。
【図１】展開使用位置にある折り畳みテーブル及び座席アセンブリの斜視図。
【図２】明確にするためにテーブルトップ及び座席部が除去された状態の図１のテーブル及び座席アセンブリの斜視図。
【図３】折り畳み位置にある図２のテーブル及び座席アセンブリの斜視図。
【図４】明確にするために座席が取り除かれた状態の折り畳み位置にある図１のテーブル及び座席アセンブリの側面図。
【図５】図２に示されているテーブル及び座席アセンブリ用の折り畳みフレーム及びリンク機構の詳細斜視図。
【図６】図５に示すリンク機構のための入れ子式機械的支柱の斜視図。
【図７】図６に示す機械支柱の第１の実施形態の断面図。
【図８】図６に示す機械的支柱の第２の実施形態の断面図。
【図９】図６に示す機械支柱の第３の実施形態の断面図。
【図１０】図１のテーブル及び座席アセンブリのフレームに取り付けられたクリップの斜視図。
【図１１】図１０に示すフレーム及びクリップの分解斜視図。
【図１２】図１０に示すクリップの斜視図。
【図１３】図１２に示すクリップの平面図。
【図１４】図１２に示すクリップの背面図。
【図１５】図１２に示すクリップの側面図。
【発明を実施するための形態】
【００１２】
ここで図面、特に図１を参照すると、概略的に（１００）で示されるテーブル及び座席装置が示される。テーブル及び座席装置（１００）は、折り畳み枠組み（１０２）によって支持されたテーブルトップ（１０４）を備える。枠組み（１０２）は、以下に説明するように、いくつかの相互接続されたフレーム要素を備える。図３及び図４に示すように折り畳まれたときに、テーブル及び座席装置（１００）は、使用のための位置から保管のための位置に転がすことができるように、４つのキャスター又はホイール（１１２）に取り付けられる。枠組み（１０２）はこのほか、座席（１２０）を支持する。座席（１２０）は、スツール（１２０）として示されているが、スツールではなくベンチ又はベンチとスツールの組み合わせであってもよい。さまざまなタイプ及び／又は数の座席アセンブリ（１２０）を用いて複数の実施形態が可能であることも理解されよう。さらに、１つ以上の座席アセンブリ（１２０）を省略して、ＡＤＡ座席（ADA (The Americans with Disabilities Act) seating、accessible seating）を提供してもよい。
【００１３】
ここで図２〜図４を参照すると、折り畳み枠組み（１０２）は、テーブルトップのそれぞれに連動するテーブルトップフレーム（１１０）を支持する。テーブルトップフレーム（１１０）は、テーブルトップのうちの連動した１つの下面に取り付けられる。
【００１４】
各テーブルトップ（１０４）のためのテーブルトップフレーム（１１０）は、中央折り畳みリンク機構（１１４）を介して互いに接続される。中央リンク機構（１１４）は、テーブルトップ（１０４）とその連動する枠組み（１０２）とを接続し、テーブルトップ（１０４）の隣接する中央部分間に折り畳み動作を提供するリンクを備え、テーブルトップ（１０４）のフレーム（１１０）間に延びるリンク機構部材を備える。図２に示すように、テーブル及び座席装置（１００）はこのほか、第１のロック（１３０）を備えてもよい。この第１のロックは、折り畳まれた保管位置にあるときに対向するテーブルトップの折り畳み枠組みから横断部材を係合させるように構成された、第１のロックハンドル（１３２）及び第１のロック係合部材（１３４）を備える。さらに、テーブル及び座席装置（１００）は、第２のロック（１３６）を備えてもよい。この第２のロックは、折り畳み枠組みを解放し、図１及び図２に示す使用位置から折り畳めるように作動されなければならない、安全性を作動させる第２のロックハンドル（１３８）を備える。
【００１５】
再び図２〜図５を参照すると、折り畳み枠組み（１０２）は、テーブルトップ（１０４）のそれぞれに連動する枠組みアセンブリを備える。折り畳み枠組み（１０２）は、テーブルトップの両端のそれぞれの端部下側横断部材（１４０）と、連結脚部（１２４）とを備える。端部脚部は、図３及び図４に示すような折り畳まれた位置にあるときにテーブル及び座席装置（１００）を搬送するためのキャスター（１１２）に取り付けられる。座席（１２０）は、脚部（１２４）の下側部分から上方に延びる座席支持部（１２２）上で支持される。脚部（１２４）は、折り畳み枠組み（１０２）の一部を形成し、座席の下方からテーブルトップの下方に向かって内側上方に延びる部分を備える。折り畳み枠組み（１０２）はこのほか、中央横断部材（１４２）及び上側横断部材（１４６）を備える。機械的支柱（２００）は、テーブルトップフレーム（１１０）の上側横断部材（１４４）に接続される。中央横断部材（１４２）は、対向する一対の脚部のそれぞれの脚部（１２４）を接続する。リンク機構要素（１４８）は、一対の脚部（１２４）のそれぞれの中央横断部材（１４２）を接続し、テーブル及び座席装置（１００）の長手方向に沿って延びる。リンク機構要素（１４８）は、一対の対向する脚部（１２４）の全部の折り畳み及び展開を作動させる。
【００１６】
一対の脚部（１２４）のそれぞれの上端は、管状部材（１４６）に取り付けられる。管状部材（１４６）は、テーブル及び座席装置（１００）の長手方向に対して横方向に延び、キャップ要素（１６０）が管状部材（１４６）の両端を受容した状態で、テーブルトップフレーム（１１０）に取り付けられたキャップ要素（１６０）に回転可能に取り付けられる。
【００１７】
機械的支柱（２００）は、図５に最も明瞭に示すように、上部バネ取付部（１８０）を介して上側横断部材（１４４）に取り付けられ、下部バネ取付部（１８２）を介して中央横断部材（１４２）に接続される。バネ取付部（１８０、１８２）は、機械的支柱（２００）とバネ取付部（１８０、１８２）との間の相対回転を可能にする十字ピンを備える。このため、横断部材（１４２、１４４）は、テーブルトップフレーム（１１０）の他のフレーム要素に固定して取り付けられてもよく、折り畳み枠組み（１０２）の他の部分及びテーブルトップフレーム（１１０）に対して回転する必要がない。以下に説明するように、機械的支柱（２００）は、図１及び図２に示す位置と図３及び図４に示す位置との間で、折り畳み及び展開の間に引き込まれ伸長するように伸長可能である。さらに、機械的支柱（２００）は、折り畳み及び展開の間に遭遇する負荷の少なくとも一部を相殺するように予め設定された方法で力を提供するように調整され、作業者がテーブル及び座席装置（１００）を折り畳み、展開するために必要な労力を軽減する。
【００１８】
ここで図６〜図９を参照すると、テーブル及び座席装置（１００）に利用できるような機械的支柱（２００、３００、４００）が示される。そのような支柱は、参照により本明細書に組み入れられる米国特許第９，１８８，１８４号に、さらに詳細に記載されている。機械的支柱（２００）の第１の実施形態が図２、図３及び図５に示されているが、図８及び図９に示す機械的支柱（３００、４００）は交換可能であり、ほかにも、用途の必要性及び要件に応じた特定の構成を備えたテーブル及び座席装置と共に用いてもよい。図６に示すように、機械的支柱アセンブリ（２００）の第１の実施形態は、第１のハウジング（２２０）及び第２のハウジング（２４０）を備える。第１のハウジング（２２０）は、前端部と後端部との間に延びる内部チャンバ（２３０）を備える。第２のハウジング（２４０）はこのほか、前端部と後端部との間に延びる内部チャンバ（２５０）を有する。
【００１９】
第２のハウジング（２４０）は、図７に示すように、第１のハウジング（２２０）の内部チャンバに部分的に入れ子状に伸縮自在に挿入されるように構成される。第２のハウジングの前端部（２４４）は、第１のハウジング（２２０）の内部チャンバ（２３０）に挿入される。バネは、機械的バネ要素（２６０）を備える。螺旋バネ要素（２６０）が示されているが、機械的バネ要素（２６０）のサイズ、形状及び材料は、特定の用途の必要性を満たすように変更されてもよいことが理解されよう。
【００２０】
機械的バネ要素は、第１の端部（２６２）と第２の端部（２６０）とを、第１の端部と第２の端部との間の複数のコイル（２６６）が機械的バネ要素（２６２）の長手方向の長さに沿って、内部空洞領域を伴って螺旋を概ね形成する状態で、備える。バネは、本体（２７２）と係合され、相補的端部領域（２８２、２８４）に螺合可能に接続されてもよい。機械支柱アセンブリ（２００）は、ねじ込み可能であるか、取り付け要件に応じて必要とされる他の従来の構成を使用するコネクタ（２８０）を介してハウジング（２２０、２４０）を外部に取り付ける。
【００２１】
さらに、図８及び図９に示すように、機械的支柱（３００、４００）の他の実施形態が、複数のバネ要素を含んでもよい。図８に示すように、複数の機械的バネ要素（２６０）を共に実装してもよい。第１及び第２のバネ要素（３５０、３７０）を利用しもよいし、コイルバネ要素としてもよい。バネ要素の材料をはじめとする構成は、バネ定数を変更するために変更してもよい。同じように、図９に示すように、２つのバネ（４５０、４７０）を共に利用してもよい。図９の実施形態に示すように、バネ（４５０、４７０）の巻線は、反対方向に延びてもよい。
【００２２】
機械的支柱（２００、３００、４００）は、テーブル及び座席装置を折り畳み、展開しているユーザに必要な作業量を最小限に抑えるように調整されてもよい。バネは、中立の安定状態になるように製造されてもよく、あるいは機械的支柱アセンブリ（２００）に向かって引くか、機械支柱アセンブリ（２００）から離れるように押すように付勢するための予め設定された圧縮又は伸長を含んでもよい。さらに、バネの寸法及び材料は、バネ（２６０）がさまざまな速度及び／又は折り畳み／展開動作のさまざまな部分に対してさまざまな力を及ぼすことによって伸縮するように、バネの長さに沿って変化するようにしてもよい。伸長及び圧縮は、テーブル及び座席装置（１００）が折り畳まれて展開されるときに、運動の経路に沿って重力から変化する力に適合させてもよい。機械的支柱アセンブリ（２００）によって及ぼされる力に適合させることによって、テーブル及び座席装置（１００）を折り畳むか展開するのに必要になった大きな力を実質的に打ち消してもよい。このため、テーブル及び座席装置（１００）を折り畳み及び展開するために必要とされる労力は実質的に軽減され、このため労働力を節約し得る。さらに、折り畳み及び展開により、制御を改善し、このため安全性が改善することになる。さらに、バネは、複数のバネ要素を使用して、バネによって付加される力と、折り畳み及び展開の異なる段階中に遭遇する力との整合を改善するために、変化させて組み合わせてもよい。
【００２３】
ここで図１０及び図１１を参照すると、キャップ要素（１６０）はテーブルトップフレーム（１１０）の一部分に取り付けられる。テーブルトップフレーム（１１０）は、フレーム（１１０）の壁に形成されたオリフィス（１７２）を備える。スロット（１７４）を、両側に配置し、簡単なスナップインタイプの取り付けを提供するオリフィス（１７２）から均等に離間して配置する。
【００２４】
図１２〜図１５に示すように、キャップ要素（１６０）はベース部分（１６２）を備える。ベース部分（１６２）は、長方形をはじめとする従来の形状であってもよい。受容部（１６４）は、実質的に円筒状であり、ベース部分（１６２）の面から外向きに延びる。受容部（１６４）は、連動する管状部材（１４６）の端部を受容するように構成された実質的に円筒形の内側空洞を形成する。タブ（１６６）は、中央受容部（１６４）の両側に取り付けられる。タブ（１６６）は、ベース（１６２）の面に実質的に直交して延びる第１の平面部分（１６８）を備える。第２の平面部分（１７０）は、第１の平面部分（１６８）の遠位端から延び、ベース部分（１６２）の平面に向かって下方に突出するとともにわずかに横方向外側に突出する。このため、平面部分（１６８及び１７０）の間に鋭角が形成される。キャップ要素（１６０）はモノリシック成形要素であってもよい。そのような構造は、タブ（１６６）を弾力的に撓ませるものであり、その結果、第１の平面部分（１６８）と第２の平面部分（１７０）が共に丸められ、次いで第２の平面部分（１７０）がその元の位置に後方に撓む。キャップ要素（１６０）は、管状部材（１４６）が受容部（１６４）の内部空洞内で自由に回転できるように、低摩擦表面を有する軽量プラスチックであってもよい。
【００２５】
本発明はこのほか、容易な構造及び組み立てを提供する。キャップ要素（１６０）は、図１０及び図１１に示すように、テーブルトップフレーム（１１０）によって簡素に適切な位置にスナップ嵌めされ、保持される。キャップ要素（１６０）をフレーム（１１０）に取り付けるために、要素（１６０）は、受容部（１６４）がテーブルトップフレーム（１１０）の中心オリフィス（１７２）を通って挿入された状態で外側に押し出される。同時に、タブ（１６６）は、対応するスロット（１７４）を通って延びる。キャップ要素（１６０）が、受容部（１６４）がオリフィス（１７２）を通過した状態で内側に押されると、平面部分（１６８、１７０）はスロット（１７４）の側面によって互いに押し付けられる。しかし、タブ（１６６）は、第２の平面部分（１７０）がこのようなスロット（１７４）を完全に通過するように、このようなスロット（１７４）を通って充分に押し込まれると、タブ（１６６）の弾性によって、第２の平面部分（１７２）をその初期状態に戻す。このため、ベース（１６２）の平面に最も近い第２の平面部分（１７０）の端部は、スロット（１７４）を越えて横方向外側に延び、テーブルトップフレーム（１１０）の内壁と係合する。このため、キャップ要素（１６０）は、一度装着されると、オリフィス（１７４）を通って取り外されることが無くてもよく、所定の位置に堅固に保持される。キャップ要素（１６０）の取り付け動作は、工具又は特別な技能を必要としない確実な係合で、要素を適所に押し込むことによって簡便に生じることが理解されよう。
【００２６】
キャップ要素（１６０）の使用は、低摩擦表面を提供し、管状部材（１４６）の取り付けを簡単かつ容易にし、折り畳み枠組み（１０２）の容易な回転を可能にする。さらに、機械的支柱（２００）の使用により、折り畳み枠組みの脚部（１２４）の上端の回転軸に沿ったトーションバーの必要がなくなる。機械的支柱は、キャップ要素（１６０）及び管状部材（１４６）の低摩擦及び軽量構造によって支援される折り畳み補助を最適化するために約４の力比を有する。重量が軽減されるだけでなく、機能も簡素化される。さらに、折り畳み及び展開のさまざまな段階に調整された支柱（２００）は、折り畳み位置と展開位置との間の移行をさらに簡単で安全なものにする。機械的支柱の使用はこのほか、時間の経過に伴う空気バネの漏れ及び劣化に関連する問題を克服し、その結果、テーブル及び座席装置（１００）の耐用年数全体にわたってテーブル（１００）及び折り畳み補助の機能が維持されるようにする。
【００２７】
しかし、本発明の多くの特徴及び利点が、本発明の構造及び機能の詳細とともに上記の説明に記載されているが、本開示は例示的なものに過ぎず、添付の特許請求の範囲が表現されている用語の広範な一般的な意味によって示される範囲を限度に、細部、特に本発明の原理内の部分の形状、大きさ、及び配置の点にて変更が実施されることを理解されたい。
【図１】
2019506965.tif 000003
【図２】
2019506965.tif 000004
【図３】
2019506965.tif 000005
【図４】
2019506965.tif 000006
【図５】
2019506965.tif 000007
【図６】
2019506965.tif 000008
【図７】
2019506965.tif 000009
【図８】
2019506965.tif 000010
【図９】
2019506965.tif 000011
【図１０】
2019506965.tif 000012
【図１１】
2019506965.tif 000013
【図１２】
2019506965.tif 000014
【図１３】
2019506965.tif 000015
【図１４】
2019506965.tif 000016
【図１５】
2019506965.tif 000017
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
一対のテーブルトップ（１０４）であって、該テーブルトップ（１０４）のそれぞれはテーブルトップフレーム（１１０）を有する、一対のテーブルトップ（１０４）と、
各テーブルトップ（１０４）のための脚部アセンブリ（１２４）であって、各脚部アセンブリ（１２４）は前記テーブルトップフレーム（１１０）にて管状部材（１４６）に取り付けられ、前記テーブルトップ（１０４）に対して回転する、脚部アセンブリ（１２４）と、
前記脚部アセンブリ（１２４）に接続され、前記テーブルトップ（１０４）を支持し、第１の位置と第２の位置との間で前記テーブルトップ（１０４）を折り畳む、折り畳み枠組み（１０２）であって、該折り畳み枠組み（１０２）は前記テーブルトップ（１０４）のそれぞれに対して回転軸を形成する、折り畳み枠組み（１０２）と、
折り畳みの間に力を相殺する折り畳み補助システムであって、該折り畳み補助システムは、
前記折り畳み枠組み（１０２）に取り付けられ、付勢力を提供する機械的支柱アセンブリ（２００）であって、該機械的支柱アセンブリ（２００）は、伸縮式のハウジング（２２０、２４０）と、前記ハウジング（２２０、２４０）内に第１のバネ（３５０）及び第２のバネ（３７０）とを有し、前記第１のバネ（３５０）は、前記第２のバネ（３７０）とは異なるバネ定数を有する、機械的支柱アセンブリ（２００）において、
前記機械的支柱アセンブリ（２００）は、折り畳みテーブル及び座席アセンブリ（１００）の折り畳み操作及び展開操作のさまざまな段階で折り畳み及び展開を促進し、妨げるように作用する力の少なくとも一部を相殺する付勢力を提供するように構成される、機械的支柱アセンブリ（２００）によって特徴づけられる、折り畳み補助システムと、
を具備する折り畳みテーブル（１００）。
【請求項２】
前記テーブルトップフレーム（１１０）のオリフィスに挿入され、かつ、前記回転軸と一直線上に並ぶ、受容部（１６４）を有するキャップ（１６０）をさらに具備する、請求項１に記載の折り畳みテーブル（１００）。
【請求項３】
前記キャップ（１６０）に挿入される管状横断部材（１４６）を備える、請求項２に記載の折り畳みテーブル（１００）。
【請求項４】
折り畳み補助システムが、第１のキャップ（１６０）及び第２のキャップ（１６０）を含む一対の前記キャップ（１６０）と、前記第１のキャップに挿入される前記管状部材（１４６）の第１の端部と、前記第２のキャップに挿入される前記管状部材（１４６）の第２の端部と、を備え、
前記管状部材（１４６）は、前記キャップ（１６０）内で回転する、
請求項３に記載の折り畳みテーブル（１００）。
【請求項５】
前記キャップ（１６０）のそれぞれは、保持タブ（１６６）を具備し、前記テーブルフレームは、スロット（１７４）を具備し、前記保持タブ（１６６）は、前記スロット（１７４）に挿入されて、前記テーブルフレームの穴（１７２）の前記受容部（１６４）によって前記キャップ（１６０）を保持する、請求項４に記載の折り畳みテーブル（１００）。
【請求項６】
前記キャップ（１６０）は保持タブ（１６６）を具備し、前記テーブルフレームはスロット（１７４）を具備し、前記保持タブ（１６６）は前記スロット（１７４）に挿入されて、前記テーブルトップフレーム（１１０）の穴（１７２）の前記受容部（１６４）によって前記キャップ（１６０）を保持する、請求項２又は３に記載の折り畳みテーブル（１００）。
【請求項７】
各キャップ（１６０）は、モノリシック要素を具備する、請求項１〜６のいずれか１項に記載の折り畳みテーブル（１００）。
【請求項８】
前記タブ（１６６）のそれぞれは、
ベース部分（１６２）の面に取り付けられた第１の端部と、第２の延長端部とを有する第１の平面部分（１６８）であって、該第１の平面部分（１６８）は、前記ベース部分の面に実質的に直交して延びる、第１の平面部分（１６８）と、
前記第１の平面部分（１６８）の前記第２の延長端部に取り付けられた第２の平面部分（１７０）であって、該第２の平面部分（１７０）は、実質的に前記ベース部分（１６２）に向かって延びる、第２の平面部分（１７０）と、を具備する、請求項４又は５に記載の折り畳みテーブル（１００）。
【請求項９】
前記第１の平面部分（１６８）及び前記第２の平面部分（１７０）はその間に鋭角を形成する、請求項８に記載の折り畳みテーブル（１００）。
【請求項１０】
前記第２の平面部分（１７０）は、前記第１の平面部分（１６８）に弾力的に取り付けられる、請求項８又は９に記載の折り畳みテーブル（１００）。
【請求項１１】
前記折り畳み枠組み（１０２）に取り付けられた座席（１２０）をさらに具備する、請求項１〜１０のいずれか１項に記載の折り畳みテーブル（１００）。
【請求項１２】
前記機械的支柱アセンブリ（２００）は伸縮式部分を具備し、前記機械的支柱アセンブリ（２００）の第１の端部が前記折り畳み枠組み（１０２）に取り付けられ、前記機械的支柱アセンブリ（２００）の第２の端部が前記テーブルトップフレーム（１１０）に取り付けられる、請求項１〜１１のいずれか１項に記載の折り畳みテーブル（１００）。
【請求項１３】
折り畳みテーブル及び座席装置（１００）を第１の位置と第２の位置との間で折り畳む方法であって、
前記折り畳みテーブル及び座席装置は、連動するテーブルトップフレーム（１１０）をそれぞれ有する一対のテーブルトップ（１０４）と、折り畳み枠組み（１０２）と、前記枠組み（１０２）に回転可能に取り付けられた複数の脚部アセンブリ（１２４）であって、各脚部アセンブリ（１２４）は、連動する回転軸に沿って延びる管状横断部材（１４６）を中心に回転する、複数の脚部アセンブリ（１２４）と、を具備する方法において、
前記方法は、
折り畳みに抵抗するか促進する力を相殺するように構成されるバネ（２６０）を有する少なくとも１つの機械的支柱（２００）を提供するステップであって、前記少なくとも１つの機械的支柱（２００）のそれぞれは、前記脚部アセンブリ（１２４）の１つを前記枠組み（１０２）に接続する前記枠組み（１０２）に取り付けられる、ステップと、
回転軸と一直線上に並び、前記管状横断部材（１４６）の端部を受容する略管状受容部分を有する前記テーブルトップフレーム（１１０）のオリフィスにスナップ嵌めされるキャップ（１６０）を提供するステップと、
前記折り畳みテーブル及び座席装置（１００）を前記第１の位置から前記第２の位置に、前記少なくとも１つの機械的支柱（２００）によって個別に設けられる折り畳み補助によって、移動させるステップと、を含み、特徴づけられる方法。
【請求項１４】
前記キャップ（１６０）は、円筒状内側空洞を形成する受容部（１６４）を含み、前記管状部材（１４６）は、前記円筒状内側空洞内で回転する、請求項１３に記載の方法。
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
一対のテーブルトップ（１０４）であって、該テーブルトップ（１０４）のそれぞれはテーブルトップフレーム（１１０）を有する、一対のテーブルトップ（１０４）と、
各テーブルトップ（１０４）のための脚部アセンブリ（１２４）であって、各脚部アセンブリ（１２４）は前記テーブルトップフレーム（１１０）にて管状横断部材（１４６）に取り付けられ、前記テーブルトップ（１０４）に対して回転する、脚部アセンブリ（１２４）と、
前記脚部アセンブリ（１２４）に接続され、前記テーブルトップ（１０４）を支持し、第１の位置と第２の位置との間で前記テーブルトップ（１０４）を折り畳む、折り畳み枠組み（１０２）であって、前記管状横断部材（１４６）のそれぞれは前記テーブルトップ（１０４）のそれぞれに対して回転軸を形成する、折り畳み枠組み（１０２）と、
折り畳みの間に力を相殺する折り畳み補助システムであって、該折り畳み補助システムは、
前記折り畳み枠組み（１０２）に取り付けられ、付勢力を提供する機械的支柱アセンブリ（２００）であって、該機械的支柱アセンブリ（２００）は、伸縮式のハウジング（２２０、２４０）と、前記ハウジング（２２０、２４０）内に第１のバネ（３５０）及び第２のバネ（３７０）とを有し、前記第１のバネ（３５０）は、前記第２のバネ（３７０）とは異なるバネ定数を有する、機械的支柱アセンブリ（２００）において、
前記機械的支柱アセンブリ（２００）は、折り畳みテーブル及び座席アセンブリ（１００）の折り畳み操作及び展開操作のさまざまな段階で折り畳み及び展開を促進し、妨げるように作用する力の少なくとも一部を相殺する付勢力を提供するように構成される、機械的支柱アセンブリ（２００）によって特徴づけられる、折り畳み補助システムと、
を具備する折り畳みテーブル（１００）。
【請求項２】
前記テーブルトップフレーム（１１０）のオリフィスに挿入され、かつ、前記管状横断部材（１４６）によって形成される前記回転軸と一直線上に並ぶ、受容部（１６４）を有するキャップ（１６０）をさらに具備する、請求項１に記載の折り畳みテーブル（１００）。
【請求項３】
前記管状横断部材（１４６）は前記キャップ（１６０）に挿入される、請求項２に記載の折り畳みテーブル（１００）。
【請求項４】
折り畳み補助システムが、第１のキャップ（１６０）及び第２のキャップ（１６０）を含む一対の前記キャップ（１６０）と、前記第１のキャップに挿入される前記管状横断部材（１４６）のうちの１つの第１の端部と、前記第２のキャップに挿入される前記管状横断部材（１４６）の第２の端部と、を備え、
前記管状横断部材（１４６）は、前記キャップ（１６０）内で回転する、
請求項３に記載の折り畳みテーブル（１００）。
【請求項５】
前記キャップ（１６０）のそれぞれは、保持タブ（１６６）を具備し、前記テーブルフレームは、スロット（１７４）を具備し、前記保持タブ（１６６）は、前記スロット（１７４）に挿入されて、前記テーブルフレームの穴（１７２）の前記受容部（１６４）によって前記キャップ（１６０）を保持する、請求項４に記載の折り畳みテーブル（１００）。
【請求項６】
前記キャップ（１６０）は保持タブ（１６６）を具備し、前記テーブルフレームはスロット（１７４）を具備し、前記保持タブ（１６６）は前記スロット（１７４）に挿入されて、前記テーブルトップフレーム（１１０）の穴（１７２）の前記受容部（１６４）によって前記キャップ（１６０）を保持する、請求項２又は３に記載の折り畳みテーブル（１００）。
【請求項７】
各キャップ（１６０）は、モノリシック要素を具備する、請求項１〜６のいずれか１項に記載の折り畳みテーブル（１００）。
【請求項８】
前記タブ（１６６）のそれぞれは、
ベース部分（１６２）の面に取り付けられた第１の端部と、第２の延長端部とを有する第１の平面部分（１６８）であって、該第１の平面部分（１６８）は、前記ベース部分の面に実質的に直交して延びる、第１の平面部分（１６８）と、
前記第１の平面部分（１６８）の前記第２の延長端部に取り付けられた第２の平面部分（１７０）であって、該第２の平面部分（１７０）は、実質的に前記ベース部分（１６２）に向かって延びる、第２の平面部分（１７０）と、を具備する、請求項４又は５に記載の折り畳みテーブル（１００）。
【請求項９】
前記第１の平面部分（１６８）及び前記第２の平面部分（１７０）はその間に鋭角を形成する、請求項８に記載の折り畳みテーブル（１００）。
【請求項１０】
前記第２の平面部分（１７０）は、前記第１の平面部分（１６８）に弾力的に取り付けられる、請求項８又は９に記載の折り畳みテーブル（１００）。
【請求項１１】
前記折り畳み枠組み（１０２）に取り付けられた座席（１２０）をさらに具備する、請求項１〜１０のいずれか１項に記載の折り畳みテーブル（１００）。
【請求項１２】
前記機械的支柱アセンブリ（２００）は伸縮式部分を具備し、前記機械的支柱アセンブリ（２００）の第１の端部が前記折り畳み枠組み（１０２）に取り付けられ、前記機械的支柱アセンブリ（２００）の第２の端部が前記テーブルトップフレーム（１１０）に取り付けられる、請求項１〜１１のいずれか１項に記載の折り畳みテーブル（１００）。
【請求項１３】
折り畳みテーブル及び座席装置（１００）を第１の位置と第２の位置との間で折り畳む方法であって、
前記折り畳みテーブル及び座席装置は、連動するテーブルトップフレーム（１１０）をそれぞれ有する一対のテーブルトップ（１０４）と、折り畳み枠組み（１０２）と、前記枠組み（１０２）に回転可能に取り付けられた複数の脚部アセンブリ（１２４）であって、各脚部アセンブリ（１２４）は、連動する回転軸に沿って延びる管状横断部材（１４６）を中心に回転する、複数の脚部アセンブリ（１２４）と、を具備する方法において、
前記方法は、
折り畳みに抵抗するか促進する力を相殺するように構成されるバネ（２６０）を有する少なくとも１つの機械的支柱（２００）を提供するステップであって、前記少なくとも１つの機械的支柱（２００）のそれぞれは、前記脚部アセンブリ（１２４）の１つを前記枠組み（１０２）に接続する前記枠組み（１０２）に取り付けられる、ステップと、
回転軸と一直線上に並び、前記管状横断部材（１４６）の端部を受容する略管状受容部分を有する前記テーブルトップフレーム（１１０）のオリフィスにスナップ嵌めされるキャップ（１６０）を提供するステップと、
前記折り畳みテーブル及び座席装置（１００）を前記第１の位置から前記第２の位置に、前記少なくとも１つの機械的支柱（２００）によって個別に設けられる折り畳み補助によって、移動させるステップと、を含み、特徴づけられる方法。
【国際調査報告】
2019506965.tif 000018
2019506965.tif 000019